【手続補正書】
【提出日】平成22年10月18日(2010.10.18)
【手続補正１】
【補正対象書類名】特許請求の範囲
【補正対象項目名】全文
【補正方法】変更
【補正の内容】
【特許請求の範囲】
【請求項１】
選択可能な複数の選択候補を表示する選択候補表示方法であって、
各選択候補を識別するための識別情報の中から予め定める基準数から１を減算した数の識別情報を予め定める選択条件に従って選択する選択ステップと、
選択ステップで選択された識別情報、および選択候補の変更を指示するための変更指示情報を、予め定める円形の円領域を前記基準数で分割された各領域に割り当てる割当ステップと、
前記基準数で分割された円領域を表す円領域情報を表示し、さらに表示された円領域情報が示す分割された円領域の各領域に、割当ステップで各領域に割り当てられた識別情報および変更指示情報を表示する表示ステップと、
表示されていない識別情報を表示させるための予め定める操作が行われたとき、各選択候補の識別情報の中から、表示されていない識別情報を含み、かつ前記基準数から１を減算した数の識別情報を、予め定める操作に応じて新たに選択する再選択ステップとを含み、
表示ステップでは、再選択ステップで識別情報が新たに選択される度に、変更指示情報を表示する領域を前記予め定める操作に応じた方向に隣接する領域に移動して表示し、前記基準数で分割された領域のうち変更指示情報を表示する領域を除く残余の領域に、再選択ステップで新たに選択された識別情報を表示することを特徴とする選択候補表示方法。
【請求項２】
前記識別情報は、選択候補ごとに異なる数値情報を含み、
前記予め定める円形の円領域を前記基準数で、かつ前記円領域の中心を頂点とする扇形の領域に分割する分割ステップをさらに含み、
前記予め定める選択条件は、識別情報に含まれる数値情報が昇順にまたは降順であるという条件であり、
前記予め定める順序は、各識別情報に含まれる数値情報が前記円領域の中心に対して時計回りの方向に昇順あるいは降順となる順序であることを特徴とする請求項１に記載の選択候補表示方法。
【請求項３】
選択候補の数が予め定める基準数よりも大きいか否かを判定する判定ステップをさらに含み、
前記判定ステップで選択候補の数が前記基準数以下であると判定された場合、
前記分割ステップでは、予め定める円領域を前記選択候補の数で分割し、
前記割当ステップでは、各選択候補のすべての識別情報を、前記分割ステップで分割された各領域に割り当て、
前記表示ステップでは、前記表示された円領域情報が示す分割された各領域に、前記割当ステップで各領域に割り当てられた識別情報を表示することを特徴とする請求項２に記載の選択候補表示方法。
【請求項４】
選択可能な複数の選択候補を表示する選択候補表示装置であって、
予め定める基準数の領域に分割された予め定める円形の円領域を表す円領域情報を表示する表示手段と、
各選択候補を識別するための識別情報の中から前記基準数から１を減算した数の識別情報を予め定める選択条件に従って選択する選択手段と、
選択手段によって選択された識別情報、および選択候補の変更を指示するための変更指示情報を、表示手段に表示される円領域情報が示す円領域の各領域に割り当てる割当手段と、
表示手段に表示される円領域情報が示す円領域の各領域に、割当手段によって各領域に割り当てられた識別情報および変更指示情報を表示手段に表示させる表示制御手段と、
表示手段に表示される領域のうち変更指示情報が表示されている領域に対する予め定める操作を行う操作手段と、
操作手段によって予め定める操作が行われたとき、各選択候補の識別情報の中から、表示されていない識別情報を含み、かつ前記基準数から１を減算した数の識別情報を、予め定める操作に応じて新たに選択する再選択手段とを含み、
表示制御手段は、再選択手段によって識別情報が新たに選択される度に、変更指示情報を表示する領域を前記予め定める操作に応じた方向に隣接する領域に移動して表示手段に表示させ、表示手段に表示される円領域情報が示す領域のうち変更指示情報が表示される領域を除く残余の領域に、再選択手段によって新たに選択された識別情報を表示手段に表示させることを特徴とする選択候補表示装置。
【請求項５】
請求項４に記載の選択候補表示装置と、
前記選択候補表示装置に含まれる表示手段に表示される領域のうち識別情報が表示される領域を操作する識別候補操作手段、および識別候補操作手段によって操作された領域の位置を表す位置情報を出力する位置情報出力手段を含む出力装置とを含むことを特徴とする入出力装置。
【手続補正２】
【補正対象書類名】明細書
【補正対象項目名】０００８
【補正方法】変更
【補正の内容】
【０００８】
本発明は、選択可能な複数の選択候補を表示する選択候補表示方法であって、
各選択候補を識別するための識別情報の中から予め定める基準数から１を減算した数の識別情報を予め定める選択条件に従って選択する選択ステップと、
選択ステップで選択された識別情報、および選択候補の変更を指示するための変更指示情報を、予め定める円形の円領域を前記基準数で分割された各領域に割り当てる割当ステップと、
前記基準数で分割された円領域を表す円領域情報を表示し、さらに表示された円領域情報が示す分割された円領域の各領域に、割当ステップで各領域に割り当てられた識別情報および変更指示情報を表示する表示ステップと、
表示されていない識別情報を表示させるための予め定める操作が行われたとき、各選択候補の識別情報の中から、表示されていない識別情報を含み、かつ前記基準数から１を減算した数の識別情報を、予め定める操作に応じて新たに選択する再選択ステップとを含み、
表示ステップでは、再選択ステップで識別情報が新たに選択される度に、変更指示情報を表示する領域を前記予め定める操作に応じた方向に隣接する領域に移動して表示し、前記基準数で分割された領域のうち変更指示情報を表示する領域を除く残余の領域に、再選択ステップで新たに選択された識別情報を表示することを特徴とする選択候補表示方法である。
【手続補正３】
【補正対象書類名】明細書
【補正対象項目名】０００９
【補正方法】変更
【補正の内容】
【０００９】
また本発明は、前記識別情報は、選択候補ごとに異なる数値情報を含み、
前記予め定める円形の円領域を前記基準数で、かつ前記円領域の中心を頂点とする扇形の領域に分割する分割ステップをさらに含み、
前記予め定める選択条件は、識別情報に含まれる数値情報が昇順にまたは降順であるという条件であり、
前記予め定める順序は、各識別情報に含まれる数値情報が前記円領域の中心に対して時計回りの方向に昇順あるいは降順となる順序であることを特徴とする。
【手続補正４】
【補正対象書類名】明細書
【補正対象項目名】００１０
【補正方法】変更
【補正の内容】
【００１０】
また本発明は、選択候補の数が予め定める基準数よりも大きいか否かを判定する判定ステップをさらに含み、
前記判定ステップで選択候補の数が前記基準数以下であると判定された場合、
前記分割ステップでは、予め定める円領域を前記選択候補の数で分割し、
前記割当ステップでは、各選択候補のすべての識別情報を、前記分割ステップで分割された各領域に割り当て、
前記表示ステップでは、前記表示された円領域情報が示す分割された各領域に、前記割当ステップで各領域に割り当てられた識別情報を表示することを特徴とする。
【手続補正５】
【補正対象書類名】明細書
【補正対象項目名】００１１
【補正方法】変更
【補正の内容】
【００１１】
また本発明は、選択可能な複数の選択候補を表示する選択候補表示装置であって、
予め定める基準数の領域に分割された予め定める円形の円領域を表す円領域情報を表示する表示手段と、
各選択候補を識別するための識別情報の中から前記基準数から１を減算した数の識別情報を予め定める選択条件に従って選択する選択手段と、
選択手段によって選択された識別情報、および選択候補の変更を指示するための変更指示情報を、表示手段に表示される円領域情報が示す円領域の各領域に割り当てる割当手段と、
表示手段に表示される円領域情報が示す円領域の各領域に、割当手段によって各領域に割り当てられた識別情報および変更指示情報を表示手段に表示させる表示制御手段と、
表示手段に表示される領域のうち変更指示情報が表示されている領域に対する予め定める操作を行う操作手段と、
操作手段によって予め定める操作が行われたとき、各選択候補の識別情報の中から、表示されていない識別情報を含み、かつ前記基準数から１を減算した数の識別情報を、予め定める操作に応じて新たに選択する再選択手段とを含み、
表示制御手段は、再選択手段によって識別情報が新たに選択される度に、変更指示情報を表示する領域を前記予め定める操作に応じた方向に隣接する領域に移動して表示手段に表示させ、表示手段に表示される円領域情報が示す領域のうち変更指示情報が表示される領域を除く残余の領域に、再選択手段によって新たに選択された識別情報を表示手段に表示させることを特徴とする選択候補表示装置である。
【手続補正６】
【補正対象書類名】明細書
【補正対象項目名】００１３
【補正方法】変更
【補正の内容】
【００１３】
本発明によれば、選択可能な複数の選択候補を表示するにあたって、選択ステップでは、各選択候補を識別するための識別情報の中から予め定める基準数から１を減算した数の識別情報を予め定める選択条件に従って選択する。割当ステップでは、選択ステップで選択された識別情報、および選択候補の変更を指示するための変更指示情報を、予め定める円形の円領域を前記基準数で分割された各領域に割り当てる。
【手続補正７】
【補正対象書類名】明細書
【補正対象項目名】００１４
【補正方法】変更
【補正の内容】
【００１４】
表示ステップでは、前記基準数で分割された円領域を表す円領域情報を表示し、さらに表示された円領域情報が示す分割された円領域の各領域に、割当ステップで各領域に割り当てられた識別情報および変更指示情報を表示する。再選択ステップでは、表示されていない識別情報を表示させるための予め定める操作が行われたとき、各選択候補の識別情報の中から、表示されていない識別情報を含み、かつ前記基準数から１を減算した数の識別情報を、予め定める操作に応じて新たに選択する。
【手続補正８】
【補正対象書類名】明細書
【補正対象項目名】００１７
【補正方法】変更
【補正の内容】
【００１７】
また本発明によれば、選択可能な複数の選択候補を表示するにあたって、表示手段に、予め定める基準数の領域に分割された予め定める円形の円領域を表す円領域情報が表示され、選択手段によって、各選択候補を識別するための識別情報の中から前記基準数から１を減算した数の識別情報が予め定める選択条件に従って選択される。